【手続補正書】
【提出日】平成26年3月13日(2014.3.13)
【手続補正１】
【補正対象書類名】特許請求の範囲
【補正対象項目名】全文
【補正方法】変更
【補正の内容】
【特許請求の範囲】
【請求項１】
ユーザの操作に応じて、表示部に表示している画像データの一部の領域を、拡大又は縮小して表示させる表示制御手段と、
前記表示制御手段により拡大又は縮小して表示された前記領域に含まれるオブジェクトと、複数の画像データに含まれるオブジェクトとに基づいて、前記複数の画像データを表示させる順序を決定する決定手段と、
を有することを特徴とする情報処理装置。
【請求項２】
前記表示制御手段により拡大又は縮小して表示された領域は複数のオブジェクトを含み、
前記決定手段は、前記領域に含まれる複数のオブジェクトと、前記画像データに含まれる複数のオブジェクトとに基づいて、前記複数の画像データを表示させる順序を決定することを特徴とする請求項１に記載の情報処理装置。
【請求項３】
前記表示制御手段により拡大又は縮小して表示された領域に含まれる複数のオブジェクトのうち、前記複数の画像データにも含まれるオブジェクトの数に関する情報を取得する第１の取得手段と、
前記画像データに含まれる複数のオブジェクトのうち、前記領域にも含まれるオブジェクトの数に関する情報を取得する第２の取得手段と、
を更に有し、
前記決定手段は、前記第１の取得手段および前記第２の取得手段が取得した情報に基づいて、前記複数の画像データを表示させる順序を決定することを特徴とする請求項２に記載の情報処理装置。
【請求項４】
前記決定された順序では、前記複数の画像データにおいて、前記領域に含まれる複数のオブジェクトのうち、前記画像データにも含まれるオブジェクトの数が多い画像データであって、かつ前記画像データに含まれる複数のオブジェクトのうち、前記領域にも含まれるオブジェクトの数が多い画像データを優先的に表示させることを特徴とする請求項２又は３に記載の情報処理装置。
【請求項５】
前記画像データに含まれるオブジェクトを示す情報は、メタデータとして予め前記画像データに付与されていることを特徴とする請求項１乃至４のいずれか１項に記載の情報処理装置。
【請求項６】
前記画像データに含まれるオブジェクトを示す情報は、前記画像データから当該オブジェクトを認識することにより得られる情報であることを特徴とする請求項１乃至５のいずれか１項に記載の情報処理装置。
【請求項７】
前記表示制御手段により拡大又は縮小して表示された領域に含まれる複数のオブジェクトのそれぞれに対して、前記表示部に表示されている表示割合を取得する第３の取得手段を更に有し、
前記決定手段は、前記第３の取得手段により取得された表示割合に基づいて、前記複数の画像データを表示させる順序を決定することを特徴とする請求項２に記載の情報処理装置。
【請求項８】
前記決定された表示順序では、前記領域に含まれる複数のオブジェクトのうち、前記表示部に表示されている表示割合が大きいオブジェクトが含まれる画像データを優先的に表示させる表示順序を決定することを特徴とする請求項７に記載の情報処理装置。
【請求項９】
前記オブジェクトを囲む面積を示す情報は、メタデータとして予め前記画像データに付与されていることを特徴とする請求項７又は８に記載の情報処理装置。
【請求項１０】
前記オブジェクトを囲む面積を示す情報は、前記画像データから当該オブジェクトを認識することにより得られる情報であることを特徴とする請求項７乃至９のいずれか１項に記載の情報処理装置。
【請求項１１】
前記複数の画像データのうち、優先して表示される画像データを保持するキャッシュ手段を更に有し、
前記決定手段は、前記キャッシュ手段によって保持された画像データについて、前記画像データを表示させる順序を決定することを特徴とする請求項１乃至１０のいずれか１項に記載の情報処理装置。
【請求項１２】
情報処理装置によって実行される情報処理方法であって、
ユーザの操作に応じて、表示部に表示している画像データの一部の領域を、拡大又は縮小して表示させる表示制御ステップと、
前記表示制御ステップにおいて拡大又は縮小して表示された前記領域に含まれるオブジェクトと、複数の画像データに含まれるオブジェクトとに基づいて、前記複数の画像データを表示させる順序を決定する決定ステップと、
を有することを特徴とする情報処理方法。
【請求項１３】
前記表示制御ステップにおいて拡大又は縮小して表示された領域は複数のオブジェクトを含み、
前記決定ステップでは、前記領域に含まれる複数のオブジェクトと、前記画像データに含まれる複数のオブジェクトとに基づいて、前記複数の画像データを表示させる順序を決定することを特徴とする請求項１２に記載の情報処理方法。
【請求項１４】
前記表示制御ステップにおいて拡大又は縮小して表示された領域に含まれる複数のオブジェクトのうち、前記複数の画像データにも含まれるオブジェクトの数に関する情報を取得する第１の取得ステップと、
前記画像データに含まれる複数のオブジェクトのうち、前記領域にも含まれるオブジェクトの数に関する情報を取得する第２の取得ステップと、
を更に有し、
前記決定ステップでは、前記第１の取得ステップおよび前記第２の取得ステップにおいて取得された情報に基づいて、前記複数の画像データを表示させる順序を決定することを特徴とする請求項１３に記載の情報処理方法。
【請求項１５】
前記表示制御ステップにおいて拡大又は縮小して表示された領域に含まれる複数のオブジェクトのそれぞれに対して、前記表示部に表示されている表示割合を取得する第３の取得ステップを更に有し、
前記決定ステップでは、前記第３の取得ステップにおいて取得された表示割合に基づいて、前記複数の画像データを表示させる順序を決定することを特徴とする請求項１３に記載の情報処理方法。
【請求項１６】
コンピュータに読み込ませ実行させることで、ユーザの操作に応じて、表示部に表示している画像データの一部の領域を、拡大又は縮小して表示させる表示制御ステップと、
前記表示制御ステップにおいて拡大又は縮小して表示された前記領域に含まれるオブジェクトと、複数の画像データに含まれるオブジェクトとに基づいて、前記複数の画像データを表示させる順序を決定する決定ステップと、
を前記コンピュータに実行させるためのプログラム。
【請求項１７】
前記表示制御ステップにおいて拡大又は縮小して表示された領域は複数のオブジェクトを含み、
前記決定ステップでは、前記領域に含まれる複数のオブジェクトと、前記画像データに含まれる複数のオブジェクトとに基づいて、前記複数の画像データを表示させる順序を決定することを特徴とする請求項１６に記載のプログラム。
【請求項１８】
前記表示制御ステップにおいて拡大又は縮小して表示された領域に含まれる複数のオブジェクトのうち、前記複数の画像データにも含まれるオブジェクトの数に関する情報を取得する第１の取得ステップと、
前記画像データに含まれる複数のオブジェクトのうち、前記領域にも含まれるオブジェクトの数に関する情報を取得する第２の取得ステップと、
を更に有し、
前記決定ステップでは、前記第１の取得ステップおよび前記第２の取得ステップにおいて取得した情報に基づいて、前記複数の画像データを表示させる順序を決定することを特徴とする請求項１７に記載のプログラム。
【請求項１９】
前記表示制御ステップにおいて拡大又は縮小して表示された領域に含まれる複数のオブジェクトのそれぞれに対して、前記表示部に表示されている表示割合を取得する第３の取得ステップを更に有し、
前記決定ステップでは、前記第３の取得ステップにおいて取得された表示割合に基づいて、前記複数の画像データを表示させる順序を決定することを特徴とする請求項１７に記載のプログラム。
【請求項２０】
請求項１６に記載のプログラムを記憶したコンピュータが読み取り可能な記憶媒体。
【手続補正２】
【補正対象書類名】明細書
【補正対象項目名】発明の名称
【補正方法】変更
【補正の内容】
【発明の名称】情報処理装置、情報処理方法、プログラム及び記憶媒体
【手続補正３】
【補正対象書類名】明細書
【補正対象項目名】０００７
【補正方法】変更
【補正の内容】
【０００７】
本発明の情報処理装置は、ユーザの操作に応じて、表示部に表示している画像データの一部の領域を、拡大又は縮小して表示させる表示制御手段と、前記表示制御手段により拡大又は縮小して表示された前記領域に含まれるオブジェクトと、複数の画像データに含まれるオブジェクトとに基づいて、前記複数の画像データを表示させる順序を決定する決定手段と、を有することを特徴とする。